(57)【要約】【課題】  ロール状の樹脂材の展開を容易とする。とくに建築物のガラス面に樹脂フィルムを貼着する作業効率を高める。【解決手段】  回転ポール１０と、当該回転ポールと略平行に配した把持ポール２０と、回転ポールおよび把持ポールの端部を固定するブリッジ３０、３１とからなり、回転ポールは、その一端が、ブリッジに配したベアリングを介して回転自由に軸支され、他端が、回転ポール側に設けたベアリングを介してブリッジに軸支される（請求項１）。回転ポールと把持ポールは略平行に設けてあり、回転ポールはベアリングによって回転自由であるから、作業員は、回転ポールに樹脂フィルムのロールを装填し、把持ポールを握った状態で樹脂フィルムを自由に展開できる。【選択図】    図１
0003128692.tif 000002
【実用新案登録請求の範囲】
【請求項１】
回転ポールと、
当該回転ポールと略平行に配した把持ポールと、
回転ポールおよび把持ポールの両端部を固定するブリッジとを備え、
回転ポールは、
その一端が、ブリッジに配したベアリングを介して回転自由に軸支され、
他端が、回転ポール側に設けたベアリングを介してブリッジに軸支されていることを特徴とする樹脂フィルムの展開器具。
【請求項２】
回転ポールと把持ポールは、伸縮調整可能なテレスコープ型のパイプ材とすることを特徴とする請求項１記載の樹脂フィルムの展開器具。
【考案の詳細な説明】
【技術分野】
【０００１】
本考案は、ロール状の樹脂材を展開する器具に係り、とくに建築物のガラスに樹脂フイルムを貼着するための器具に関する。
【背景技術】
【０００２】
建築物のガラスには、さまざまな事情から各種の樹脂フィルム（金属の蒸着フィルムを含む）を貼着することがある。例えば、震災時のガラスの飛散防止、直射日光や紫外線の遮断、空調効率の向上、美観の向上等である。
【０００３】
このような樹脂フィルムをガラス面に貼着するときは、従来、複数の作業員による手作業が必要であった。
【０００４】
樹脂フィルムはロール状に巻かれており、その裏面には接着剤が塗布されているため、樹脂フィルムの上端をガラス面の所定位置に貼着させて剥がれないように当該部分を保持する者と、ロール状の樹脂フィルムを下方や横方向に展開して所定位置で切断を行う者が必要となるからである。
【０００５】
通常、どちらか一方の作業員は、樹脂フィルムの貼着状態を良好にさせるための霧吹き（水分噴霧）を担当する。樹脂フィルムの裏面（接着剤の塗布面）に霧吹きを行うと、仕上がりのヨレやシワがなくなるためである。熟練者がいないときは、樹脂フィルムの端部の保持、ロールの展開、霧吹き作業のため、三人で作業を行う場合もある。
【特許文献１】なし
【考案の開示】
【考案が解決しようとする課題】
【０００６】
問題は、作業効率の悪さと、それに伴う工事コストの削減の困難である。
【０００７】
従来の作業では、貼着作業に最低二人の作業員を要したため、例えば１０人の作業員がいたとしても、最高効率でも５班にわかれて作業せざるを得なかった。熟練者が少ないために三人で作業せざるを得ないグループがあるときは、例えば１０人の作業員が３〜４班にわかれて作業することもある。
【０００８】
作業班の数が少なくなるほど単位時間あたりの処理面積が少なくなる。その結果、工事コストが嵩むため、価格競争力や利益率が圧迫され、質の高い施工品質を維持することが厳しくなる場合も生ずる。
【０００９】
そこで、本考案の目的は、ロール状の樹脂材の展開を容易にして、とくに建築物のガラス面に各種の樹脂フィルムを貼着する作業の効率を高める点にある。
【課題を解決するための手段】
【００１０】
前記目的を達成して、課題を解決するため、本考案に係る樹脂フィルムの展開器具は、回転ポールと、当該回転ポールと略平行に配した把持ポールと、回転ポールおよび把持ポールの端部を固定するブリッジとからなり、回転ポールは、その一端が、ブリッジに配したベアリングを介して回転自由に軸支され、他端が、回転ポール側に設けたベアリングを介してブリッジに軸支される（請求項１）。
【００１１】
回転ポールと把持ポールは略平行に設けてあり、回転ポールはベアリングによって回転自由であるから、作業員は、回転ポールに樹脂フィルムのロールを装填し、把持ポールを握った状態で樹脂フィルムを自由に展開できる。
【００１２】
樹脂フィルムの端部をガラス面に貼着させれば、把持ポールの移動に伴って樹脂フィルムが展開されるため、一人の作業員でも適当な展開状態で霧吹きを行いつつ樹脂フィルムをガラス面に貼着できることになる。
【００１３】
回転ポールの動きを許容するベアリングの配設箇所は、一方をブリッジ側に配し、他方を回転ポール側に配する。ベアリングを両方ともブリッジに設けると、回転ポールをブリッジから着脱自由にさせることが難しくなり、ロール状の樹脂フィルムを回転ポールに装着する作業が煩雑となる。ベアリングの一方を回転ポールに内装することにより、回転ポールをブリッジから取り外す際の着脱の自由を得ることができる。
【００１４】
回転ポールと把持ポールは、伸縮調整可能なテレスコープ型のパイプ材とする場合がある（請求項２）。
【００１５】
この請求項２によれば、ロール状の樹脂フィルムの長短にかかわらず、同一の器具を用いてどのような作業にも柔軟に対応することが出来る。ロール状の樹脂フィルムの長さは短尺なものから長尺のものまでさまざまであるが、使用器具を統一して使用できるため、現場での対応の自由性も拡大する。
【考案の効果】
【００１６】
本考案に係る樹脂フィルムの展開器具によれば、一人で貼着作業を行うことが可能となり、ガラス面に各種の樹脂フィルムを貼着する各種作業の効率を高めることが出来る。
【考案を実施するための最良の形態】
【００１７】
図１〜図３は、本考案に係る樹脂フィルムの展開器具の一実施形態を示すものである。この樹脂フィルムの展開器具は、回転自在の回転ポール１０と、この回転ポール１０と略平行に配した非回転の把持ポール２０とを備え、両者の両端部をブリッジ（架橋材）３０、３１によって固定する。
【００１８】
ロール状の樹脂フィルムの長短に柔軟に対応できるよう、回転ポール１０と把持ポール２０は、ともに伸縮可能なテレスコープ型のパイプ材を用いる。作業時に不意に伸縮しないよう、回転ポール１０と把持ポール２０には伸縮位置を固定するストッパ、例えばロック用の環ネジ１１、２１を用いることが望ましい。このような伸縮自在のポール材は、例えばカメラ用三脚、物干しポール、マイクスタンド等のように周知であり、低価格での入手も容易である。
【００１９】
一人での作業を可能とするには、全体の軽量化が望まれる。このため、回転ポール１０と把持ポール２０は内部中空の軽量金属管または内部中空の硬質樹脂管を用いることが望ましく、これらの両端を支持するブリッジ３０、３１も、軽量金属板または硬質樹脂板を用いることが望ましい。軽量金属としては、例えばステンレスやアルミニウムを用いることが出来る。これらは製造コストを抑えることも可能である。
【００２０】
回転ポール１０は、ベアリング１５、１６を用いて回転可能な構造とする。このとき、例えば、一方のベアリング１５は、ブリッジ３０に配設し、回転ポール１０の端部を当該ベアリング１５に着脱困難な状態で固定する。
【００２１】
他方のベアリング１６は、回転ポール１０の端部に内装させ、図３に示すように、ベアリング１６を設けてある回転ポール１０の端部をブリッジ３１から自由に切り離すことができる構造とする。切り離すときは、回転ポール１０の環ネジ１１をゆるめて回転ポール１０の寸法を短くすればよい。
【００２２】
把持ポール２０は、回転しないことが望ましい。従って、その両端はブリッジ３０、３１に着脱不能に固定してもよい。しかしながら、好ましくは、ロール状樹脂フィルムを回転ポール１０に装着するときの利便を高めるため、少なくとも一方の端部は、回動（または回転）可能な状態でブリッジ３１に固定しておく。軸支に用いる部材はベアリングに限らず簡易なものでよい。高品位のなめらかな回動を必要としないからである。
【００２３】
このようにすれば、回転ポール１０の端部をブリッジ３１から切り離したときに（図３参照）、ブリッジ３１に固定されている把持ポール２０の端部が自由に回動し、図４に示すように、ブリッジ３１が回動して回転ポール１０の端部（１６）を開放して、長尺であるロール状の樹脂フィルムＲの装着の邪魔をしなくなる。この状態でロール状の樹脂フィルムＲを回転ポール１０に装着し、装着後に回転ポール１０を伸ばして再びブリッジ３１に固定する。
【００２４】
ブリッジ３１が把持ポール２０との関係で回動できるようにするには、例えば、ベアリングを用いる。このベアリングは、把持ポール２０側に設けてもよいし、ブリッジ３１側に設けてもよい。いずれの場合でも、把持ポール２０はブリッジ３１からの切り離しを自由にする必要がないので、簡易な構造でかまわない。把持ポール２０の他方の端部は、ブリッジ３０に回動不能に固定してよいことはもちろんである。
【００２５】
従って、かかる樹脂フィルムの展開器具によれば、回転ポールにロール状の樹脂フィルムＲを装着させて、図５に示すように、手に持った把持ポール２０を矢印方向に動かすと、回転ポール１０がまわってそれに従動するロール（Ｒ）から引き出された樹脂フィルムが展開（伸展）する。この樹脂フィルムＲ２の上端部Ｒ３をガラス面にあらかじめ貼着しておけば、要求される作業面が大きくても作業者が単独で樹脂フィルムＲ２を貼着することが出来る。
【００２６】
作業は上下方向への貼着もあるし、左右方向への貼着もあるが、方向がいずれの場合であってもひとりの作業者で処理することが出来る。
【００２７】
本考案に係る樹脂フィルムの展開器具は、実施形態で説明したものに限定されない。例えば、回転ポール１０と把持ポール２０の長さの位置決め調整をする手段は、ロック用の環ネジ１１、２１に限らない。回転ポール１０と把持ポール２０に設けた孔部にピンを差し込むストッパ構成としてもよい。
【００２８】
回転ポール１０と把持ポール２０は軽量金属で成形した丸管を用いることが望ましいが、樹脂を用いてもよい。また丸管に限らず角管を用いてもよい。ブリッジ３０、３１の形状も略楕円（長孔形）に限定されない。
【００２９】
前記実施形態では、回転ポール１０と把持ポール２０を伸縮自在のものとして説明したが、樹脂フィルムのロール長にあわせた各種の長さをもったポールを用いる場合は、伸縮不能のポールを用いてもよいことはもちろんである。
【００３０】
この展開器具は、各種の樹脂フィルムを展開して対象物に配設する器具としても用いることが出来る。例えば建物の塗装時に用いる養生フィルムや、ビニルハウスを作るための農業用フィルム等である。
【図面の簡単な説明】
【００３１】
【図１】実施形態に係る樹脂フィルムの展開器具を例示する斜視図である。
【図２】図１の展開器具を示す部分断面平面図である。
【図３】図２の状態から回転ポールを短縮させた状態を示す図である。
【図４】図３の状態でブリッジを回動させた状態を示す斜視図である。
【図５】実施形態に係る樹脂フィルムの展開器具の使用状態を例示する図である。
【符号の説明】
【００３２】
１０  回転ポール
１１、２１  環ネジ
１５、１６  ベアリング
２０  把持ポール
３０、３１  ブリッジ（架橋材）
Ｒ  ロール状の樹脂フィルム
Ｒ２  （展開された）樹脂フィルム
Ｒ３  （展開された）樹脂フィルムの上端部
【図１】
0003128692.tif 000003
【図２】
0003128692.tif 000004
【図３】
0003128692.tif 000005
【図４】
0003128692.tif 000006
【図５】
0003128692.tif 000007